(57)【特許請求の範囲】
【請求項１】
プリント基板に固着されたソケット本体部、及び、
前記ソケット本体部に植設される複数の接触子を有するソケット本体ユニットと、
前記ソケット本体ユニット上に載置されるＩＣパッケージを押圧する蓋本体部、及び、
前記蓋本体部の左右両側に、それぞれ回動可能に枢支され、前記蓋本体部を前記ソケット本体部に錠止して取り付けることができる一対の錠止部材を有する錠止機構を有する蓋本体ユニットと
を備え、
前記ソケット本体部の外縁部の左右に設けられた一対の突起部であり、前記一対の錠止部材に係合する、少なくとも一対の係合部を有し、
前記一対の錠止部材の一方は、先端部に、中央部分に凸部を有し、左右部分に凹部を有する錠止爪を備え、他方は、先端部に、中央部分に凹部を有し、左右部分に凸部を有する錠止爪を備え、
前記一対の係合部の一方は、中央部分に凸部を有し、左右部分に凹部を有する形状を有し、他方は、中央部分に凹部を有し、左右部分に凸部を有する形状を有し、
前記蓋本体ユニットの向きを回転させて、前記ソケット本体ユニットに取り付けることにより、前記一対の錠止部材と前記一対の係合部との噛み合わせの向きを変更し、異なる厚みを有するＩＣパッケージの押圧力を調整することを特徴とするＩＣソケット。
【請求項２】
前記ソケット本体部は、外縁部の前記一対の突起部とは、別の面に設けられた一対の突起部である別の一対の係合部をさらに有することを特徴とする請求項１に記載のＩＣソケット。
【請求項３】
前記別の一対の係合部の双方は、平坦な面を有し、
前記蓋本体ユニットの向きを回転させて、前記ソケット本体ユニットに取り付けることにより、前記一対の錠止部材と前記一対の係合部及び前記別の一対の係合部との噛み合わせの向きを変更し、３種類の異なる厚みを有するＩＣパッケージの押圧力を調整することを特徴とする請求項２に記載のＩＣソケット。
【請求項４】
前記別の一対の係合部の一方は、中央部分に凸部を有し、左右部分に凹部を有する形状を有し、他方は、中央部分に凹部を有し、左右部分に凸部を有する形状を有し、
前記蓋本体ユニットの向きを回転させて、前記ソケット本体ユニットに取り付けることにより、前記一対の錠止部材と前記一対の係合部及び前記別の一対の係合部との噛み合わせの向きを変更し、４種類の異なる厚みを有するＩＣパッケージの押圧力を調整することを特徴とする請求項２に記載のＩＣソケット。
【請求項５】
前記ソケット本体部の表面の４隅には、ＩＣ厚さ表示が設けられ、
前記蓋本体部の４隅のうちの一箇所には、切り欠きとその周辺に指示マークが設けられ、前記蓋本体ユニットと、前記ソケット本体ユニットとの組み合わせの向きに合わせて、前記指示マークに対応する位置には、前記ＩＣ厚さ表示が指示されることを特徴とする請求項１乃至４に記載のＩＣソケット。
【発明の詳細な説明】
【技術分野】
【０００１】
本発明は、半導体パッケージまたはモジュール等のＩＣパッケージの検査用に使用するＩＣソケットに係わり、特に、ＩＣパッケージの厚さに対応して押圧力を調整できるＩＣソケットに関する。
【背景技術】
【０００２】
電気部品としての半導体パッケージまたはモジュール等のＩＣパッケージが装着されるＩＣソケットにおいて、プリント基板に固着されたＩＣソケット本体のコンタクトピン上に装着されたＩＣパッケージを押え板により保持するＩＣソケットが知られている。
【０００３】
従来、このようなＩＣソケットにおいて、厚さが異なるＩＣパッケージを１種類のＩＣソケットで測定する場合、ＩＣパッケージを押圧する押圧面の高さの調整は、スペーサを固定しているねじを外して分解する作業を行わなければならず、作業が困難かつ複雑であり、工数と時間と費用がかかる等の問題があった。
【０００４】
このような問題を解決する従来技術として、特許文献１に開示する技術では、それぞれ高さの異なる４つのカム面と、押圧部を有するスペーサと、操作つまみと、ばね部材などの調整機構とを備え、操作つまみを９０度ずつ回動することにより、ＩＣパッケージの厚さに対応して押圧力を調整できるＩＣソケットが開示されている。
【０００５】
また、特許文献２に開示する技術では、スペーサの交換作業をなくすために、押込み部材を調整ノブで押込む送り機能が付加された半導体装置用ソケットが開示されている。
【先行技術文献】
【特許文献】
【０００６】
【特許文献１】特開２００３−２４３１１７号公報
【特許文献２】特開２００６−２５２９４６号公報
【発明の概要】
【発明が解決しようとする課題】
【０００７】
しかしながら、特許文献１及び特許文献２に記載された従来技術では、分解作業が不要となるが、構造が複雑となるため別途構成部品が必要となり、部品代、工数等が増加するという問題があった。
【０００８】
従って、本発明の目的は、このような従来の問題を解決するために、スペーサ交換等の分解作業を行う必要がなく、また調整機構などを有する必要がないため、作業効率を上げることができ、且つ、部品点数を削減しつつ、異なる厚みを有するＩＣパッケージの押圧力を調整できるＩＣソケットを提供することである。
【課題を解決するための手段】
【０００９】
上記課題を解決するために、本発明のＩＣソケットは、プリント基板に固着されたソケット本体部、及び、上記ソケット本体部に植設される複数の接触子を有するソケット本体ユニットと、前記ソケット本体ユニット上に載置されるＩＣパッケージを押圧する蓋本体部、及び、上記蓋本体部の左右両側に、それぞれ回動可能に枢支され、上記蓋本体部を上記ソケット本体部に錠止して取り付けることができる一対の錠止部材を有する錠止機構を有する蓋本体ユニットとを備え、上記ソケット本体部の外縁部の左右に設けられた一対の突起部であり、上記一対の錠止部材に係合する、少なくとも一対の係合部を有し、上記一対の錠止部材の一方は、先端部に、中央部分に凸部を有し、左右部分に凹部を有する錠止爪を備え、他方は、先端部に、中央部分に凹部を有し、左右部分に凸部を有する錠止爪を備え、上記一対の係合部の一方は、中央部分に凸部を有し、左右部分に凹部を有する形状を有し、他方は、中央部分に凹部を有し、左右部分に凸部を有する形状を有し、上記蓋本体ユニットの向きを回転させて、上記ソケット本体ユニットに取り付けることにより、上記一対の錠止部材と上記一対の係合部との噛み合わせの向きを変更し、異なる厚みを有するＩＣパッケージの押圧力を調整することを特徴とする。
【００１０】
また、上記ソケット本体部は、外縁部の上記一対の突起部とは、別の面に設けられた一対の突起部である別の一対の係合部をさらに有するものとしてもよい。
【００１１】
また、上記別の一対の係合部の双方は、平坦な面を有し、上記蓋本体ユニットの向きを回転させて、上記ソケット本体ユニットに取り付けることにより、上記一対の錠止部材と上記一対の係合部及び上記別の一対の係合部との噛み合わせの向きを変更し、３種類の異なる厚みを有するＩＣパッケージの押圧力を調整するものとしてもよい。
【００１２】
また、上記別の一対の係合部の一方は、中央部分に凸部を有し、左右部分に凹部を有する形状を有し、他方は、中央部分に凹部を有し、左右部分に凸部を有する形状を有し、上記蓋本体ユニットの向きを回転させて、上記ソケット本体ユニットに取り付けることにより、上記一対の錠止部材と上記一対の係合部及び上記別の一対の係合部との噛み合わせの向きを変更し、４種類の異なる厚みを有するＩＣパッケージの押圧力を調整するものとしてもよい。
【００１３】
また、上記ソケット本体部の表面の４隅には、ＩＣ厚さ表示が設けられ、上記蓋本体部の４隅のうちの一箇所には、切り欠きとその周辺に指示マークが設けられ、上記蓋本体ユニットと、上記ソケット本体ユニットとの組み合わせの向きに合わせて、上記指示マークに対応する位置には、上記ＩＣ厚さ表示が指示されるものとしてもよい。
【発明の効果】
【００１４】
本発明によれば、スペーサ交換等の分解作業を行う必要がなく、また調整機構などを有する必要がないため、作業効率を上げることができ、且つ、部品点数を削減しつつ、異なる厚みを有するＩＣパッケージの押圧力を調整できるＩＣソケットを提供することができる。
【図面の簡単な説明】
【００１５】
【図１】従来技術によるＩＣソケットの構成を示す中央縦断面図である。
【図２】従来技術による別のＩＣソケットの一部を構成する押込み蓋ユニットの構成を示す図である。
【図３】本発明に係るＩＣソケットの一実施形態の一部を構成する押込み蓋ユニットの構成を示す図である。
【図４】本発明に係るＩＣソケットの一実施形態の一部を構成する２種切換タイプのソケット本体ユニットの構成を示す図である。
【図５】本発明に係るＩＣソケットの別の実施形態の一部を構成する３種切換タイプのソケット本体ユニットの構成を示す図である。
【図６】本発明に係るＩＣソケットのさらに別の実施形態の一部を構成する４種切換タイプのソケット本体ユニットの構成を示す図である。
【図７】本発明に係るＩＣソケットの一実施形態であって、図４に示すソケット本体ユニットと、図３に示す押込み蓋ユニットとを組み合わせたＩＣソケットを示す図である。
【図８】図７に示すＩＣソケットであって、押込み蓋ユニットの向きを図７とは逆向きにして組み合わせて示す図である。
【図９】本発明に係るＩＣソケットの別の実施形態であって、図５に示すソケット本体ユニットと、図３に示す押込み蓋ユニットとを組み合わせたＩＣソケットを示す図である。
【図１０】本発明に係るＩＣソケットのさらに別の実施形態であって、図６に示すソケット本体ユニットと、図３に示す押込み蓋ユニットとを組み合わせたＩＣソケットを示す図である。
【発明を実施するための形態】
【００１６】
以下、本発明の実施形態を、図面を参照して説明する。
【００１７】
図１は、従来技術によるＩＣソケット１００の構成を示す中央縦断面図である。
【００１８】
図１において、従来技術によるＩＣソケット１００は、プリント基板１に固着されるＩＣパッケージ１０を載置するソケット本体ユニット１１０と、ソケット本体ユニット１１０の上部に取り付けられる押込み蓋ユニット１２０とを備える。ソケット本体ユニット１１０は、プリント基板１に固着されるソケット本体部１１１と、このソケット本体部１１１に植設された複数個のプローブピン１１２と、プローブピン１１２をソケット本体部１１１とともに保持する支持基板１１３と、支持基板１１３をソケット本体部１１１に固定するねじ１１４と、ＩＣパッケージ１０を保持する可動台座１１５とを備える。
【００１９】
ソケット本体部１１１は、プリント基板１にねじ３によって補強板２と共に取付けられている。ソケット本体部１１１の上部には、支持基板１１３が配置され、ねじ１１４によって一体的に固着されており、これらソケット本体部１１１と支持基板１１３とに対して、複数個のプローブピン１１２が直立して植設されている。
【００２０】
押込み蓋ユニット１２０は、ソケット本体ユニット１１０上に載置される蓋本体部１２１と、蓋本体部１２１の内部に配置され、プローブピン１１２上に配置されたＩＣパッケージ１０を押圧する押圧ブロック１２２と、蓋本体部１２１をソケット本体部１１１に取外し可能に取付けて錠止する錠止機構１２３と、押圧ブロック１２２を押圧する押圧力を調整する調整機構１２４とを備えている。
【００２１】
錠止機構１２３は、蓋本体部１２１をソケット本体部１１１に錠止して取り付けることができる一対の錠止部材１２５を備える。錠止部材１２５は、蓋本体部１２１の左右両側にピン１２６により、それぞれ回動可能に枢支される。錠止部材１２５は、蓋本体部１２１の外側上方に向けて突出する操作アーム１２５ａと、蓋本体部１２１の内側上方に向けて突出し、蓋本体部１２１との間にばね部材１２７を取り付ける押圧アーム１２５ｂと、蓋本体部１２１の外側下方に向けて突出する錠止アーム１２５ｃと、錠止アーム１２５ｃの先端に設けられ、ソケット本体部１１１の外縁部の左右に設けられた一対の突起部である係合部１１１ａに係合する錠止爪１２５ｄとを有する。
【００２２】
調整機構１２４は、押圧ブロック１２２の上部中央に突出した軸部１２２ａの先端に取り付けられる操作つまみ１２８と、蓋本体部１２１の上部の面と操作つまみ１２８の間に配置されたばね部材１２９と、押圧ブロック１２２の上部に取り付けられ、４段階の高さの異なるカム面を有する調整カム１３０とを備える。
【００２３】
押込み蓋ユニット１２０は、ソケット本体ユニット１１０のプローブピン１１２の上にＩＣパッケージ１０が載置された後、ＩＣパッケージ１０の上に押込み蓋ユニット１２０の押圧ブロック１２２が当接するように、ソケット本体ユニット１１０の上に配置される。押込み蓋ユニット１２０がソケット本体ユニット１１０の上に配置された後、錠止部材１２５の操作アーム１２５ａを操作し、錠止部材１２５の錠止爪１２５ｄをソケット本体部１１１の係合部１１１ａに錠止し、ＩＣパッケージ１０を保持するように、押込み蓋ユニット１２０をソケット本体ユニット１１０の上に固定する。
【００２４】
厚さの異なるＩＣパッケージ１０を使用する場合には、押圧ブロック１２２の軸部１２２ａの先端に取り付けられた操作つまみ１２８を９０°ずつ回動することにより、調整カム１３０の高さの異なる各カム面がそれぞれ切り換えて作動され、押圧力を調整できる。
【００２５】
このように、図１に示すＩＣソケット１００は、厚さが異なるＩＣパッケージ１０を使用する場合、調整機構１２４を使用して、ＩＣソケット１００の押圧力を調整できるため、分解作業が不要となるが、構造が複雑となるため別途構成部品が必要となり、部品代、工数等が増加するという問題があった。
【００２６】
図２は、従来技術による別のＩＣソケットの一部を構成する押込み蓋ユニット２００の構成を示す図であり、図２（ａ）は、上面図であり、図２（ｂ）は、図２（ａ）に示すＩＩｂ−ＩＩｂ断面図であり、図２（ｃ）は、左側側面図であり、図２（ｄ）は、右側側面図である。
【００２７】
図２に示す押込み蓋ユニット２００は、図１に示すＩＣソケット１００よりも従来の構成であるが、後述する本発明の構成との差を明確にするために説明する。図２において、押込み蓋ユニット２００は、図示しないソケット本体ユニット上に載置される蓋本体部２０１と、プローブピン上に装着されたＩＣパッケージ１０を押圧する押圧ブロック２０２と、蓋本体部２０１をソケット本体部に取外し可能に取付けて錠止する錠止機構２０３と、蓋本体部２０１と押圧ブロック２０２との間に配置されるスペーサ２０４とを備える。
【００２８】
蓋本体部２０１は、ＩＣパッケージ１０の形状に合うように、略四角形状に形成され、中央には、スペーサ２０４と、押圧ブロック２０２を固定する窪みが設けられ、この窪みの内部に、スペーサ２０４と、押圧ブロック２０２が２本のねじ２０８で固定される。
【００２９】
錠止機構２０３は、蓋本体部２０１に錠止して取り付けることができる一対の錠止部材２０５を備える。錠止部材２０５は、蓋本体部２０１の左右両側にピン２０６により、それぞれ回動可能に枢支される。錠止部材２０５は、蓋本体部２０１の外側上方に向けて突出する操作アーム２０５ａと、蓋本体部２０１の内側上方に向けて突出し、蓋本体部２０１との間にばね部材２０７を取り付ける押圧アーム２０５ｂと、蓋本体部２０１の外側下方に向けて突出する錠止アーム２０５ｃと、錠止アーム２０５ｃの先端に設けられ、図示しないソケット本体ユニットの外縁部の左右に設けられた一対の突起部である係合部に係合する錠止爪２０５ｄとを有する。
【００３０】
このような押込み蓋ユニット２００は、図１に示すようなソケット本体ユニット１１０のプローブピン１１２の上にＩＣパッケージ１０が載置された後、ＩＣパッケージ１０の上に押込み蓋ユニット２００の押圧ブロック２０２が当接するように、ソケット本体ユニット１１０の上に配置される。押込み蓋ユニット２００がソケット本体ユニット１１０の上に配置された後、錠止部材２０５の操作アーム２０５ａを操作し、錠止部材２０５の錠止爪２０５ｄをソケット本体部１１１の係合部１１１ａに錠止し、ＩＣパッケージ１０を保持するように、押込み蓋ユニット２００をソケット本体ユニット１１０の上に固定する。
【００３１】
このような、図２に示す従来のＩＣソケットの押込み蓋ユニット２００は、厚さが異なるＩＣパッケージ１０を使用する場合、スペーサ２０４を変更する必要があり、作業量、工数等が増加するという問題があった。
【００３２】
図３は、本発明に係るＩＣソケットの一実施形態の一部を構成する押込み蓋ユニット３００の構成を示す図であり、図３（ａ）は、上面図であり、図３（ｂ）は、図３（ａ）に示すＩＩＩｂ−ＩＩＩｂ断面図であり、図３（ｃ）は、左側側面図であり、図３（ｄ）は、右側側面図である。
【００３３】
図３において、ＩＣソケットの押込み蓋ユニット３００は、後述する図４、図５、図６に示すソケット本体ユニット４００、５００、６００と共に、組み合わされて使用される。押込み蓋ユニット３００は、ソケット本体ユニット４００、５００、６００上に載置され、ＩＣパッケージ１０の形状に合うように、略四角形状に形成され、下面にＩＣパッケージ１０を押圧する押圧部を有する蓋本体部３０１と、蓋本体部３０１をソケット本体部に取外し可能に取付けて錠止する錠止機構３０３とを備える。
【００３４】
錠止機構３０３は、蓋本体部３０１に錠止して取り付けることができる一対の錠止部材３０５を備える。錠止部材３０５は、蓋本体部３０１の左右両側にピン３０６により、それぞれ回動可能に枢支される。錠止部材３０５は、蓋本体部２０１の外側上方に向けて突出する操作アーム３０５ａと、蓋本体部３０１の内側上方に向けて突出し、蓋本体部３０１との間にばね部材３０７を取り付ける押圧アーム３０５ｂと、蓋本体部３０１の外側下方に向けて突出する錠止アーム３０５ｃと、錠止アーム３０５ｃの先端に設けられ、図示しないソケット本体ユニットの外縁部の左右に設けられた一対の突起部である係合部と係合する錠止爪３１０とを有する。
【００３５】
本発明に係るＩＣソケットの錠止部材３０５は、左右同形状ではなく、中央部分に凸部を有し、左右部分に凹部を有する形状に形成される錠止爪３１０Ａを有する錠止部材３０５Ａと、中央部分に凹部を有し、左右部分に凸部を有する形状に形成される錠止爪３１０Ｂを有する錠止部材３０５Ｂとを含む。また、蓋本体部３０１の表面の４隅の４つの切り欠きの１つには、後述するソケット本体部４０１、５０１、６０１に表示されるＩＣ厚さ表示４０６、５０６、６０６を指し示す指示マーク３０９が設けられる。
【００３６】
図４は、本発明に係るＩＣソケットの一実施形態の一部を構成する２種切換タイプのソケット本体ユニット４００の構成を示す図であり、図４（ａ）は、上面図であり、図４（ｂ）は、左側側面図であり、図４（ｃ）は、右側側面図である。
【００３７】
図４において、ＩＣソケットのソケット本体ユニット４００は、プリント基板に固着され、中央に複数個のプローブピンを内部に植設して収容するプローブピン収容部を含むソケット本体部４０１と、フローティング構造に構成され、ＩＣパッケージ１０を保持する可動台座４０３と、可動台座４０３の上方への可動を制限し、可動台座４０３をソケット本体部４０１に保持する４本のねじ４０４とを備える。なお、本発明は、ボール・グリッド・アレイ・タイプ等、このような押圧構造に対応する他の同様のＩＣパッケージに適用できる。また、プローブピンも特に制約はなく、適切な押圧力が得られるコンタクト端子等の接触子が使用できる。また、フローティング構造の可動台座がない形状でも構わない。
【００３８】
本実施形態のソケット本体部４０１には、その外縁部の左右に設けられた一対の突起部である係合部４０５が備えられる。本実施形態の係合部４０５は、左右同形状ではなく、中央部分に凸部を有し、左右部分に凹部を有する形状に形成される係合部４０５Ａと、中央部分に凹部を有し、左右部分に凸部を有する形状に形成される係合部４０５Ｂとを含む。
【００３９】
また、本実施形態のソケット本体部４０１の表面の４隅の対角の２箇所に配置されるＩＣ厚さ表示４０６が設けられる。ここでは、ソケット本体部４０１の表面の左上に、ＩＣの厚さが薄い場合（２．２０）のＩＣ厚さ表示４０６Ａが設けられ、表面の右下に、ＩＣの厚さが厚い場合（２．８０）のＩＣ厚さ表示４０６Ｂが設けられる。厚さの表示は、例示であって、これには限定されない。
【００４０】
図４に示すソケット本体ユニット４００は、図３に示す押込み蓋ユニット３００と組み合わされて使用され、後述の図７、図８に示すように、押込み蓋ユニット３００の向きを１８０度回転させて使用することにより、２種類の厚さを有するＩＣパッケージ１０について、適正な押圧力により押圧して使用することができる。
【００４１】
図５は、本発明に係るＩＣソケットの別の実施形態の一部を構成する３種切換タイプのソケット本体ユニット５００の構成を示す図であり、図５（ａ）は、上面図であり、図５（ｂ）は、正面図であり、図５（ｃ）は、左側側面図であり、図５（ｄ）は、右側側面図である。
【００４２】
図５において、ＩＣソケットのソケット本体ユニット５００は、プリント基板に固着され、中央に複数個のプローブピンを内部に植設して収容するプローブピン収容部を含むソケット本体部５０１と、フローティング構造に構成され、ＩＣパッケージ１０を保持する可動台座５０３と、可動台座５０３の上方への可動を制限し、可動台座５０３をソケット本体部５０１に保持する４本のねじ５０４とを備える。
【００４３】
本実施形態のソケット本体部５０１には、図４に示すソケット本体ユニット４００と異なり、ソケット本体部５０１の外縁部の前後左右に４つの係合部５０５が備えられる。係合部５０５は、ソケット本体部５０１の左右に設けられ、中央部分に凸部を有し、左右部分に凹部を有する形状に形成される係合部５０５Ａと、中央部分に凹部を有し、左右部分に凸部を有する形状に形成される係合部５０５Ｂと、ソケット本体部５０１の前後に設けられ、凹凸を有さず平坦な面を有する係合部５０５Ｃ、５０５Ｄを含む。
【００４４】
また、本実施形態のソケット本体部５０１の表面の４隅の４箇所に配置されるＩＣ厚さ表示５０６が設けられる。本実施形態のＩＣ厚さ表示５０６は、後述するように、ソケット本体部５０１の前後に設けられた係合部５０５Ｃ、５０５Ｄを使用する場合に、押込み蓋ユニット３００の向きを１８０度回転させて使用しても高さが変わらないため、３種類のＩＣ厚さ表示５０６が設けられる。ここでは、ソケット本体部５０１の表面の左上にＩＣの厚さが２．２０のＩＣ厚さ表示５０６Ａが設けられ、右下にＩＣの厚さが２．８０のＩＣ厚さ表示５０６Ｂが設けられ、左下、及び、右上にＩＣの厚さが２．４５のＩＣ厚さ表示５０６Ｃ、５０６Ｄが設けられる。厚さの表示は、例示であって、これには限定されない。
【００４５】
図５に示すソケット本体ユニット５００は、図３に示す押込み蓋ユニット３００と組み合わされて使用され、後述の図９に示すように、押込み蓋ユニット３００の向きを４種類の位置に回転させて使用することにより、３種類の厚さを有するＩＣパッケージ１０について、適正な押圧力により押圧して使用することができる。
【００４６】
図６は、本発明に係るＩＣソケットのさらに別の実施形態の一部を構成する４種切換タイプのソケット本体ユニット６００の構成を示す図であり、図６（ａ）は、上面図であり、図６（ｂ）は、正面図であり、図６（ｃ）は、左側側面図であり、図６（ｄ）は、右側側面図であり、図６（ｅ）は、背面図である。
【００４７】
図６において、ＩＣソケットのソケット本体ユニット６００は、プリント基板に固着され、中央に複数個のプローブピンを内部に植設して収容するプローブピン収容部を含むソケット本体部６０１と、フローティング構造に構成され、ＩＣパッケージ１０を保持する可動台座６０３と、可動台座６０３の上方への可動を制限し、可動台座６０３をソケット本体部６０１に保持する４本のねじ６０４とを備える。
【００４８】
本実施形態のソケット本体部６０１には、その外縁部の前後左右に４つの係合部６０５が備えられる。係合部６０５は、ソケット本体部６０１の左右に設けられ、中央部分に凸部を有し、左右部分に凹部を有する形状に形成される係合部６０５Ａと、中央部分に凹部を有し、左右部分に凸部を有する形状に形成される係合部６０５Ｂと、ソケット本体部６０１の前後に設けられ、中央部分に凹部を有し、左右部分に凸部を有する形状に形成される係合部６０５Ｃと、中央部分に凸部を有し、左右部分に凹部を有する形状に形成される係合部６０５Ｄとを含む。
【００４９】
また、本実施形態のソケット本体部６０１の表面の４隅の４箇所に配置されるＩＣ厚さ表示６０６が設けられる。本実施形態のＩＣ厚さ表示６０６は、４種類のＩＣ厚さ表示６０６が設けられる。ここでは、ソケット本体部６０１の表面の左上にＩＣの厚さが２．２０のＩＣ厚さ表示６０６Ａが設けられ、右下にＩＣの厚さが２．８０のＩＣ厚さ表示６０６Ｂが設けられ、左下のＩＣの厚さが２．４５のＩＣ厚さ表示６０６Ｃが設けられ、右上にＩＣの厚さが３．００のＩＣ厚さ表示６０６Ｄが設けられる。厚さの表示は、例示であって、これには限定されない。
【００５０】
図６に示すソケット本体ユニット６００は、図３に示す押込み蓋ユニット３００と組み合わされて使用され、後述の図１０に示すように、押込み蓋ユニット３００の向きを４種類の位置に回転させて使用することにより、４種類の厚さを有するＩＣパッケージ１０について、適正な押圧力により押圧して使用することができる。
【００５１】
図７は、本発明に係るＩＣソケットの一実施形態であって、図４に示すソケット本体ユニット４００と、図３に示す押込み蓋ユニット３００とを組み合わせたＩＣソケット７００を示す図であり、図７（ａ）は、上面図であり、図７（ｂ）は、正面図であり、図７（ｃ）は、左側側面図であり、図７（ｄ）は、右側側面図である。
【００５２】
図７において、ＩＣソケット７００は、ソケット本体ユニット４００と、押込み蓋ユニット３００とを組み合わせて構成される。本実施形態では、錠止部材３０５Ａの錠止爪３１０Ａと、係合部４０５Ａが噛み合わされ、錠止部材３０５Ｂの錠止爪３１０Ｂと、係合部４０５Ｂが噛み合わされる向きに、ソケット本体ユニット４００と、押込み蓋ユニット３００が組み合わされる。
【００５３】
錠止爪３１０Ａは、中央部分に凸部を有し、左右部分に凹部を有する形状に形成され、係合部４０５Ａは、中央部分に凸部を有し、左右部分に凹部を有する形状に形成されているため、中央部分の凸部同士が噛み合わされて構成される。また、錠止爪３１０Ｂは、中央部分に凹部を有し、左右部分に凸部を有する形状に形成され、係合部４０５Ｂは、中央部分に凹部を有し、左右部分に凸部を有する形状に形成されているため、左右部分の凸部同士が噛み合わされて構成される。このため、ソケット本体ユニット４００と、押込み蓋ユニット３００とは、深く噛み合わされるため、ＩＣの厚さが薄い場合に使用される。ここでは、図７（ｂ）に示すように、ＩＣパッケージ上面は７．５０で、ＩＣパッケージ下面は５．３０で、ＩＣパッケージ厚さは２．２０となる。また、ソケット本体部４０１の指示マーク３０９が指し示す位置に、２．２０のＩＣ厚さ表示４０６Ａが表示される。
【００５４】
図８は、図７に示すＩＣソケット７００であって、押込み蓋ユニット３００の向きを図７とは逆向きにして組み合わせて示す図であり、図８（ａ）は、上面図であり、図８（ｂ）は、正面図であり、図８（ｃ）は、左側側面図であり、図８（ｄ）は、右側側面図である。
【００５５】
図８において、ＩＣソケット７００は、ソケット本体ユニット４００と、押込み蓋ユニット３００とを組み合わせて構成される。本実施形態では、錠止部材３０５Ａの錠止爪３１０Ａと、係合部４０５Ｂが噛み合わされ、錠止部材３０５Ｂの錠止爪３１０Ｂと、係合部４０５Ａが噛み合わされる向きに、ソケット本体ユニット４００と、押込み蓋ユニット３００が組み合わされる。
【００５６】
錠止爪３１０Ａは、中央部分に凸部を有し、左右部分に凹部を有する形状に形成され、係合部４０５Ｂは、中央部分に凹部を有し、左右部分に凸部を有する形状に形成されているため、錠止爪３１０Ａの中央部分の凸部と、係合部４０５Ｂの中央部分の凹部とが噛み合わされて構成される。また、錠止爪３１０Ｂは、中央部分に凹部を有し、左右部分に凸部を有する形状に形成され、係合部４０５Ａは、中央部分に凸部を有し、左右部分に凹部を有する形状に形成されているため、錠止爪３１０Ｂの左右部分の凸部と、係合部４０５Ｂの左右部分の凹部とが噛み合わされて構成される。このため、ソケット本体ユニット４００と、押込み蓋ユニット３００とは、図７より浅く噛み合わされるため、ＩＣの厚さが厚い場合に使用される。ここでは、図８（ｂ）に示すように、ＩＣパッケージ上面は８．１０で、ＩＣパッケージ下面は５．３０で、ＩＣパッケージ厚さは２．８０となる。また、ソケット本体部４０１の指示マーク３０９が指し示す位置に、２．８０のＩＣ厚さ表示４０６Ｂが表示される。
【００５７】
図９は、本発明に係るＩＣソケットの別の実施形態であって、図５に示すソケット本体ユニット５００と、図３に示す押込み蓋ユニット３００とを組み合わせたＩＣソケット９００を示す図であり、図９（ａ）は、上面図であり、図９（ｂ）は、正面図であり、図９（ｃ）は、左側側面図であり、図９（ｄ）は、右側側面図である。
【００５８】
図９において、ＩＣソケット９００は、ソケット本体ユニット５００と、押込み蓋ユニット３００とを組み合わせて構成される。本実施形態では、錠止部材３０５Ａの錠止爪３１０Ａと、係合部５０５Ｃが噛み合わされ、錠止部材３０５Ｂの錠止爪３１０Ｂと、係合部５０５Ｄが噛み合わされる向きに、ソケット本体ユニット４００と、押込み蓋ユニット３００が組み合わされる。
【００５９】
錠止爪３１０Ａは、中央部分に凸部を有し、左右部分に凹部を有する形状に形成され、係合部５０５Ｃは、平坦な面を有する形状に形成されているため、錠止爪３１０Ａの中央部分の凸部と、係合部４０５Ｂの平坦な面とが噛み合わされて構成される。また、錠止爪３１０Ｂは、中央部分に凹部を有し、左右部分に凸部を有する形状に形成され、係合部４０５Ａは、平坦な面を有する形状に形成されているため、錠止爪３１０Ｂの左右部分の凸部と、係合部４０５Ｂの平坦な面とが噛み合わされて構成される。このため、ソケット本体ユニット５００と、押込み蓋ユニット３００とは、１８０度回転しても同じ高さに噛み合わされる。ここでは、図９（ｂ）に示すように、ＩＣパッケージ上面は７．７５で、ＩＣパッケージ下面は５．３０で、ＩＣパッケージ厚さは２．４５となる。また、ソケット本体部５０１の指示マーク３０９が指し示す位置に、２．４５のＩＣ厚さ表示５０６Ｃあるいは５０６Ｄが表示される。
【００６０】
なお、ここでは、係合部５０５Ｃ、５０５Ｄと、錠止爪３１０Ａ、３１０Ｂとが噛み合わされた構成を示したが、係合部５０５Ａ、５０５Ｂも図７、図８に示した構成と同様に使用できるため、都合３種類の厚さを有するＩＣパッケージ１０について、適正な押圧力により押圧して使用することができる。
【００６１】
図１０は、本発明に係るＩＣソケットのさらに別の実施形態であって、図６に示すソケット本体ユニット６００と、図３に示す押込み蓋ユニット３００とを組み合わせたＩＣソケット１０００を示す図であり、図１０（ａ）は、上面図であり、図１０（ｂ）は、正面図であり、図１０（ｃ）は、左側側面図であり、図１０（ｄ）は、右側側面図である。
【００６２】
図１０において、ＩＣソケット１０００は、ソケット本体ユニット６００と、押込み蓋ユニット３００とを組み合わせて構成される。本実施形態では、錠止部材３０５Ａの錠止爪３１０Ａと、係合部６０５Ｃが噛み合わされ、錠止部材３０５Ｂの錠止爪３１０Ｂと、係合部６０５Ｄが噛み合わされる向きに、ソケット本体ユニット６００と、押込み蓋ユニット３００が組み合わされる。
【００６３】
錠止爪３１０Ａは、中央部分に凸部を有し、左右部分に凹部を有する形状に形成され、係合部６０５Ｃは、中央部分に凹部を有し、左右部分に凸部を有する形状に形成されているため、錠止爪３１０Ａの中央部分の凸部と、係合部６０５Ｂの中央部分に凹部とが噛み合わされて構成される。また、錠止爪３１０Ｂは、中央部分に凹部を有し、左右部分に凸部を有する形状に形成され、係合部６０５Ｄは、中央部分に凸部を有し、左右部分に凹部を有する形状に形成されているため、錠止爪３１０Ｂの左右部分に凸部と、係合部６０５Ｄの左右部分に凹部とが噛み合わされて構成される。このため、ソケット本体ユニット６００と、押込み蓋ユニット３００とは、浅く噛み合わされるため、ＩＣの厚さが厚い場合に使用される。ここでは、図１０（ｂ）に示すように、ＩＣパッケージ上面は８．３０で、ＩＣパッケージ下面は５．３０で、ＩＣパッケージ厚さは３．００となる。また、ソケット本体部６０１の指示マーク３０９が指し示す位置に、３．００のＩＣ厚さ表示６０６Ｄが表示される。
【００６４】
なお、ここでは、係合部６０５Ｃ、６０５Ｄと、錠止爪３１０Ａ、３１０Ｂとが噛み合わされた構成を示したが、１８０度回転させて使用することもでき、係合部６０５Ａ、６０５Ｂも図７、図８に示した構成と同様に使用することができるため、都合４種類の厚さを有するＩＣパッケージ１０について、適正な押圧力により押圧して使用することができる。
【００６５】
なお、図４乃至図６に示すように、本実施形態ではソケット本体ユニットは４角形のものを使用したが、６角形や８角形などの他の多角形形状のソケット本体ユニットを使用して、さらに多種類の異なる厚みを有するＩＣパッケージの押圧力を調整するものとしてもよい。また、ＩＣ厚さ表示にパッケージの厚みを表示するものとしたが、これには限定されず大中小など他の表示を使用してもよい。
【００６６】
以上のように、本発明に係るＩＣソケットによれば、スペーサ交換などの分解作業を行う必要がなく、また調整機構などを有する必要がないため、作業効率を上げることができ、且つ、部品点数を削減しつつ、異なる厚みを有するＩＣパッケージの押圧力を調整できるＩＣソケットを提供することができる。
【符号の説明】
【００６７】
１０  ＩＣパッケージ
３００  押込み蓋ユニット
３０１  蓋本体部
３０３、３０３Ａ、３０３Ｂ  錠止機構
３０５、３０５Ａ、３０５Ｂ  錠止部材
３０５ａ  操作アーム
３０５ｂ  押圧アーム
３０５ｃ  錠止アーム
３０６  ピン
３０７  ばね部材
３０９  指示マーク
３１０、３１０Ａ、３１０Ｂ  錠止爪
４００、５００、６００  ソケット本体ユニット
４０１、５０１、６０１  ソケット本体部
４０３、５０３、６０３  可動台座
４０４、５０４、６０４  ねじ
４０５、４０５Ａ、４０５Ｂ、５０５、５０５Ａ、５０５Ｂ、５０５Ｃ、５０５Ｄ、６０５Ａ、６０５Ｂ、６０５Ｃ、６０５Ｄ  係合部
４０６、４０６Ａ、４０６Ｂ、５０６、５０６Ａ、５０６Ｂ、５０６Ｃ、５０６Ｄ、６０６、６０６Ａ、６０６Ｂ、６０６Ｃ、６０６Ｄ  ＩＣ厚さ表示
７００、９００、１０００  ＩＣソケット
【図１】
0006048523.tif 000002
【図２】
0006048523.tif 000003
【図３】
0006048523.tif 000004
【図４】
0006048523.tif 000005
【図５】
0006048523.tif 000006
【図６】
0006048523.tif 000007
【図７】
0006048523.tif 000008
【図８】
0006048523.tif 000009
【図９】
0006048523.tif 000010
【図１０】
0006048523.tif 000011